【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
検体を収納した検体容器をセットするように構成された撮像位置と、
前記撮像位置を照射するように構成された光源と、
スペクトル画像撮像装置を有し、前記スペクトル画像撮像装置で前記検体容器及び検体の一部のスペクトル分解画像を生成及び撮像するように構成されたハイパースペクトル画像撮像装置と、
前記スペクトル画像撮像装置で受け取ったスペクトル分解画像を処理し、
前記検体のセグメンテーション、
前記検体容器と検体のセグメンテーション、
干渉物質の存在の有無、
の少なくとも１つを決定可能なコンピュータと、
を備える特性評価装置。
【請求項２】
前記光源が、３００ｎｍ〜２０００ｎｍの範囲内の少なくとも１００ｎｍの帯域幅の広帯域光源を有する、請求項１に記載の特性評価装置。
【請求項３】
前記光源が、３００ｎｍ〜２０００ｎｍの範囲内の離散波長範囲を有する複数のスペクトル帯域を含む、請求項１に記載の特性評価装置。
【請求項４】
前記光源が、複数の白色光源を含む１つ以上の光パネルアセンブリを有する、請求項１〜３のいずれか１項に記載の特性評価装置。
【請求項５】
前記光源が、白色光源と近赤外線源又は中赤外線源との組合せを有する１つ以上の光パネルアセンブリを有する、請求項１〜４のいずれか１項に記載の特性評価装置。
【請求項６】
前記１つ以上の光パネルアセンブリの各１つが、
取付フレームと、
導光板と、
前記導光板内に光を発し、広帯域又は多帯域の光を前面から放出するように構成された複数の光源と、
を有する、請求項５に記載の特性評価装置。
【請求項７】
前記１つ以上の光パネルアセンブリが、ハイパースペクトル画像撮像装置と反対側の撮像位置の裏側に位置し、前記検体容器及び検体の裏面から照射するように構成された、請求項５に記載の特性評価装置。
【請求項８】
前記１つ以上の光パネルアセンブリが、前記ハイパースペクトル画像撮像装置と同じ側の撮像位置の前面側に位置し、前記検体容器及び検体の前面から照射するように構成された、請求項５に記載の特性評価装置。
【請求項９】
前記ハイパースペクトル画像撮像装置は、前記検体容器及び検体の一部の画像をスペクトル分解素子上に投影するように構成されたレンズ及びスリット開口アセンブリを有する、請求項１〜８のいずれか１項に記載の特性評価装置。
【請求項１０】
前記スペクトル分解素子がプリズムを有する、請求項９に記載の特性評価装置。
【請求項１１】
前記スペクトル分解素子が回折格子を有する、請求項９に記載の特性評価装置。
【請求項１２】
前記スペクトル分解素子がリニアバンドパスフィルタを有する、請求項９に記載の特性評価装置。
【請求項１３】
前記ハイパースペクトル画像撮像装置は、スペクトル分解画像を撮像するように構成されたスペクトル画像撮像装置を有し、前記ハイパースペクトル画像撮像装置のスリット開口の広い寸法に関連する方向の前記スペクトル画像撮像装置の長さが、前記スリット開口の狭い寸法に関連する方向の前記スペクトル画像撮像装置の幅よりも大きい、請求項１〜１２のいずれか１項に記載の特性評価装置。
【請求項１４】
前記ハイパースペクトル画像撮像装置は、スペクトル分解画像を撮像するように構成されたスペクトル画像撮像装置を有し、前記スペクトル画像撮像装置は、Ｙ次元及びＺ次元において少なくとも１００画素のスペクトル分解能を有し、前記Ｙ次元はスペクトル次元であり、前記Ｚ次元は空間次元である、請求項１〜１３のいずれか１項に記載の特性評価装置。
【請求項１５】
前記ハイパースペクトル画像撮像装置が、
前記検体容器の高さの寸法に整列した広い寸法Ｌと、前記検体容器の幅の寸法に整列した狭い寸法Ｗとを有し、Ｌ＞Ｗである壁構造のスリット開口を有する、請求項１〜１４のいずれか１項に記載の特性評価装置。
【請求項１６】
前記ハイパースペクトル画像撮像装置が、
前記検体容器及び検体の撮像領域の画像をスペクトル分解素子上に投影するように構成されたレンズ及びスリット開口アセンブリを有する、請求項１５に記載の特性評価装置。
【請求項１７】
前記ハイパースペクトル画像撮像装置が、
前記検体容器の高さに整列した幅Ｌと、前記検体容器を幅次元に整列した狭い幅Ｗとを有し、Ｌ＞Ｗである壁構造のスリット開口と、
前記検体容器及び検体の第１の表面の画像を前記スリット開口の平面上に焦点を結ぶように構成された焦点長を含む第１のレンズと、
スペクトル分解素子と、
第二のレンズ及び第三のレンズを有し、前記第三のレンズ及びスペクトル分解素子が、前記検体容器及び検体の一部のスペクトル分解画像を前記スペクトル画像撮像装置に投影するように構成されたレンズシステムと、
を備える、請求項１〜１６のいずれか１項に記載の特性評価装置。
【請求項１８】
前記コンピュータが、
スペクトル分解画像に基づく溶血、
黄疸、
脂血症、および
検体の正常性、
の１つ以上を決定するように構成された、請求項１〜１７のいずれか１項に記載の特性評価装置。
【請求項１９】
前記コンピュータが、スペクトル分解画像に基づいて前記検体及び検体容器の少なくとも１つのセグメンテーションを決定するように構成された、請求項１〜１８のいずれか１項に記載の特性評価装置。
【請求項２０】
前記検体及び検体容器の少なくとも１つのセグメンテーションが、
検体中の血清又は血漿部分
前記検体の沈降した血液部分
ゲル分離器、
検体容器内の空気、および
キャップ
の１つ以上の垂直位置を決定することを含む、請求項１９に記載の特性評価装置。
【請求項２１】
前記検体のセグメンテーションが、
管−キャップ界面、
液体−空気界面、
血清−血液界面、
血清−ゲル界面、および
血液−ゲル界面
の１つ以上の垂直位置を決定することを含む、請求項２０に記載の特性評価装置。
【請求項２２】
検体検査装置であって、
搬送路と、
前記搬送路上を移動可能であり、検体を収納した検体容器を支持するように構成されたキャリアと、
前記搬送路上に位置し、
前記キャリアによって搬送された検体を収納した検体容器をセットするように構成された撮像位置、
前記撮像位置を照射するように構成された光源、
前記撮像位置で前記検体容器及び検体の一部のスペクトル分解画像を生成及び撮像するように構成されたスペクトル画像撮像装置を有するハイパースペクトル画像撮像装置、
前記スペクトル画像撮像装置で受け取ったスペクトル分解画像を処理し、
前記検体のセグメンテーション、
前記検体容器と検体のセグメンテーション、および
干渉物質の存在の有無
の少なくとも１つを決定するコンピュータと、
を有する、特性評価装置と、
を備える、検体検査装置。
【請求項２３】
検体容器又は検体の特性評価方法であって、
前記検体を収納した前記検体容器を撮像位置にセットし、
前記撮像位置に画像を撮像するように構成されたハイパースペクトル画像撮像装置を設け、
前記撮像位置を照射するように構成された１つ以上の光源を設け、
前記１つ以上の光源で前記撮像位置を照射し、
前記ハイパースペクトル画像撮像装置で検体容器及び検体の一部をスペクトル分解した画像を撮像し、
スペクトル分解した画像を処理して、
前記検体のセグメンテーション、
前記検体容器と検体のセグメンテーション、
干渉物質の存在の有無
の少なくとも１つを決定する、特性評価方法。